(57)【要約】【課題】空気調和機のスライムによる故障発生を防ぐ為に配置した防菌防黴性樹脂成形体がプレート形状であると段差や傾斜など水受け皿の特殊形状にはフィットしにくく、配置場所が安定しにくかったり、排水溝などを塞いでしまってドレン水排水の障害となるという課題を有している。【解決手段】熱交換器１と、前記熱交換器１により凝縮されたドレン水を受ける水受け皿３の最深部に、防菌防黴性樹脂成形体４を嵌合させて配設したことにより、小型で簡単な形状の安価な構成でドレン水にスライムが発生することを長期に亘って安定して抑制することができ、スライムによる故障発生がない空気調和機を提供する。【選択図】図１
2006057860.tif 000002
【特許請求の範囲】
【請求項１】
熱交換器と、前記熱交換器により凝縮されたドレン水を受ける水受け皿を搭載し、防菌防黴性樹脂成形体を前期水受け皿の最深部に嵌合させて、配設したことを特徴とする空気調和機。
【請求項２】
熱交換器と、前記熱交換器により凝縮されたドレン水を受ける水受け皿を搭載し、前記熱交換器と前期水受け皿との間に防菌防黴性樹脂成形体を挟持させたことを特徴とする空気調和機。
【請求項３】
熱交換器と、前記熱交換器により凝縮されたドレン水を受ける水受け皿と、前記水受け皿に貯留したドレン水を機外へ排出するドレンポンプを搭載し、前記ドレンポンプの吸込み口の近傍の前記水受け皿に、防菌防黴性樹脂成形体を配設したことを特徴とする空気調和機。
【請求項４】
熱交換器と、前記熱交換器により凝縮されたドレン水を受ける水受け皿と、前記水受け皿に貯留したドレン水を機外へ排出するドレンポンプを搭載し、前記ドレンポンプの吸込み口を、防菌防黴性樹脂成形体で成形することを特徴とする空気調和機。
【請求項５】
熱交換器と、前記熱交換器により凝縮されたドレン水を受ける水受け皿と、前記水受け皿に貯留したドレン水を機外へ排出するドレンポンプと、前記ドレンポンプの入切を制御するフロートスイッチを搭載し、前記フロートスイッチの近傍の前記水受け皿に、防菌防黴性樹脂成形体を配設したことを特徴とする空気調和機。
【請求項６】
熱交換器と、前記熱交換器により凝縮されたドレン水を受ける水受け皿と、前記水受け皿に貯留したドレン水を機外へ排出するドレンポンプと、前記ドレンポンプの入切を制御するフロートスイッチを搭載し、前記フロートスイッチの軸部を、防菌防黴性樹脂成形体で成形することを特徴とする空気調和機。
【請求項７】
熱交換器と、前記熱交換器により凝縮されたドレン水を受ける水受け皿を搭載し、前記水受け皿の下部に設けた水抜き用栓の一部に、防菌防黴性樹脂成形体を埋設したことを特徴とする空気調和機。
【請求項８】
前記水抜き用栓に突起を設け、前記防菌防黴性樹脂成形体を前記栓に固定できることを特徴とする請求項７に記載の空気調和機。
【請求項９】
防菌防黴性樹脂成形体は、防菌防黴剤とワックスの混合物と樹脂基材を原料として用い、フィラーを添加することなく成形したものであることを特徴とする請求項１〜８のいずれかに記載の空気調和機。
【発明の詳細な説明】
【技術分野】
【０００１】
本発明は、防菌防黴性樹脂成形体を設けドレン水にスライムが発生することを長期に亘って抑制することができ、スライムによる故障発生がない空気調和機に関するものである。
【背景技術】
【０００２】
従来の空気調和機の構造について説明する（特許文献１参照）。
【０００３】
図９は、特許文献１に記載された従来の空気調和機を示すもので、熱交換器１と、前記熱交換器１により熱交換した空気を室内に送出するファン２と、前記熱交換器により凝縮されたドレン水を受ける水受け皿３と、防菌防黴性樹脂成形体プレート４ｆから構成されている。
【０００４】
水受け皿３に貯留したドレン水を長期間放置すると微生物が繁殖し、粘着性の物質（スライム）が発生することがある。ドレン水に発生したスライムは、ドレンポンプやドレンホースを閉塞し、やがてドレン水が漏洩するといった空気調和機の故障の原因となる。
【０００５】
このような問題の解決方法として、ドレン水に微生物が繁殖しないようにドレン皿に防菌防黴剤を分散させるという考え方がある。
しかしながら、ドレン皿を樹脂成形体で構成する場合、ドレン皿に多量の防菌防黴剤を分散させようとすると、防菌防黴剤と樹脂基材との混和性が低下することでその成形性が悪化することから、ドレン皿を高い成形精度で製造することができず、結果として、この考え方は、ドレン皿への防菌防黴剤の分散量が制限されるので効果の持続性の点で劣るといった評価であった。また樹脂部品が大きいと、コストが高くなるという課題を有していた。
【０００６】
そこで、特許文献１においては、防菌防黴剤のドレン水への溶出を円滑にするフィラーを含有させた防菌防黴プレート４ｆをドレン皿内に配設してドレン水にスライムが発生することを抑制する方法が提案されている。しかしながら、前記従来のプレート形状では、形状が簡単である反面、ドレン水を集めるために設けられる段差や傾斜など水受け皿の特殊形状にはフィットしにくく、配置場所が安定しにくかったり、排水溝などを塞いでしまってドレン水排水の障害となるという課題も有していた。
【特許文献１】特開平７−１０３５００号公報
【発明の開示】
【発明が解決しようとする課題】
【０００７】
本発明は、前記従来の課題を解決するもので、小型で簡単な形状の防菌防黴性樹脂成形体を効果的な位置に設けることにより安価で長期に亘って安定してスライムが発生することを抑制することができ、スライムによる故障発生がない空気調和機を提供することを目的とする。
【課題を解決するための手段】
【０００８】
前記従来の課題を解決するために、本発明の空気調和機は、熱交換器により凝縮されたドレン水を受ける水受け皿の最深部に、防菌防黴性樹脂成形体を嵌合させて配設したことを特徴としたものである。
【０００９】
これにより、樹脂成形体の成形性が保持されているので、ドレン水が１箇所に溜まり易
いように段差や傾斜が設けてあるなどして一様でない水受け皿の特殊形状にフィットする形状に加工でき、安定して配置でき、排水溝などを塞いでしまってドレン水排水の障害となるようなことなく、防菌防黴性樹脂成形体に含有された防菌防黴剤がドレン水へ溶出して防菌防黴効果の持続性が保持できる。
【００１０】
これによって、小型で簡単な形状の防菌防黴性樹脂成形体をほとんどの時間ドレン水に漬かるような効果的な位置に設けることにより、安価で長期に亘ってドレン水にスライムが発生することを安定して抑制することができ、スライムによる故障発生がない空気調和機を提供することができる。
【発明の効果】
【００１１】
本発明の空気調和機は、成形が簡易および小型で安価な防菌防黴性樹脂成形体を効果的な位置に設けることにより、ドレン水にスライムが発生することを長期に亘って安定して抑制することができ、スライムによる故障発生がない空気調和機を提供することができる。
【発明を実施するための最良の形態】
【００１２】
第１の発明は熱交換器により凝縮されたドレン水を受ける水受け皿の最深部に、防菌防黴性樹脂成形体を嵌合させて配設することにより、ほとんどの時間ドレン水に漬かっており、かつドレン水排水の障害とならないような位置に設けることができ、小型かつ簡単な形状の安価な構成でドレン水にスライムが発生することを長期に亘って安定して抑制することができる。
【００１３】
第２の発明は、熱交換器と水受け皿との間に挟持させることで固定した小型で簡単な形状の安価な構成でドレン水にスライムが発生することを長期に亘って安定して抑制することができる。
【００１４】
第３の発明は、水受け皿に貯留したドレン水を機外へ排出するドレンポンプの吸込み口近傍の前記水受け皿に防菌防黴性樹脂成形体を配設することにより、小型で簡単な形状の安価な構成でドレン水にスライムが発生することを長期に亘って安定して抑制することができる。
【００１５】
第４の発明は、ドレンポンプの吸込み口を防菌防黴性樹脂成形体で成形することにより、小型で簡単な形状の安価な構成でドレン水にスライムが発生することを長期に亘って安定して抑制することができる。
【００１６】
第５の発明は、ドレンポンプの入切を制御するフロートスイッチの近傍に防菌防黴性樹脂成形体を配設することにより、小型で簡単な形状の安価な構成でドレン水にスライムが発生することを長期に亘って安定して抑制することができる。
【００１７】
第６の発明は、フロートスイッチの軸部を防菌防黴性樹脂成形体で成形することにより、小型で簡単な形状の安価な構成でドレン水にスライムが発生することを長期に亘って安定して抑制することができる。
【００１８】
第７の発明は、水受け皿の下部に設けた水抜き用栓の一部に防菌防黴性樹脂成形体を埋設することにより、小型で簡単な形状の安価な構成でドレン水にスライムが発生することを長期に亘って安定して抑制することができる。
【００１９】
第８の発明は、水抜き用栓に突起を設け、防菌防黴性樹脂成形体を前記栓に固定することにより、小型で簡単な形状の安価な構成でドレン水にスライムが発生することを長期に
亘って安定して抑制することができる。
【００２０】
第９の発明は、前記記載の空気調和機に用いる防菌防黴性樹脂成形体は、防菌防黴剤とワックスの混合物と樹脂基材を原料として用い、フィラーを添加することなく成形したもので、樹脂成形体の成形性を保ちつつ、防菌防黴効果がより持続する。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における空気調和機の断面図を示すものである。
【００２３】
図１において、熱交換器１と、熱交換器１により熱交換した空気を室内に送出するファン２と、熱交換器１により凝縮されたドレン水を受ける水受け皿３とがある。水受け皿３には、ドレン水が１箇所に溜まり易いように段差や傾斜が設けてあり、その段差や傾斜の最深部に嵌合させて、防菌防黴性樹脂成形体４ａが配設してある。
【００２４】
以上のように構成された空気調和機について、以下その動作、作用を説明する。
【００２５】
まず、水受け皿３の最深部に嵌合させて、防菌防黴性樹脂成形体４ａを配設することにより、ドレン水が溜まっていれば、防菌防黴性樹脂成形体４ａはほぼ常にドレン水に漬かっていることになり、スライム発生防止に効果的である。
更に、その形状を水受け皿３に沿った形状に加工して確実にドレン水に漬かる位置に配設すると、ドレン水の増減によって防菌防黴性樹脂成形体４ａが移動して防菌防黴効果が得られなくなったり、また、移動して排水溝などを塞いでしまってドレン水排水の障害となることもない。
【００２６】
以上のように、本実施の形態においては熱交換器１により凝縮されたドレン水を受ける水受け皿３の最深部に嵌合させて、防菌防黴性樹脂成形体４ａを配設することにより、ほとんどの時間、ドレン水に漬かるような効果的な位置に設けた小型で簡単な形状の安価な構成でドレン水にスライムが発生することを長期に亘って安定して抑制することができ、スライムによる故障発生がない空気調和機を提供することができる。
【００２７】
（実施の形態２）
図２は、本発明の第２の実施の形態における空気調和機の断面図を示すものである。
【００２８】
図２において、熱交換器１と水受け皿３との間に防菌防黴性樹脂成形体４ｂを挟持させた構成となっている。
これにより、防菌防黴性樹脂成形体４ｂを固定することができるので、ドレン水の増減によって、防菌防黴性樹脂成形体４ｂが移動したりすることなく、確実にドレン水に漬かる位置に配設することができる。また、ドレン水そのものが熱交換器１での凝縮により発生するので、発生したドレン水に直ちに防菌防黴処理がなされることが期待できる。
【００２９】
尚、防菌防黴性樹脂成形体４ｂはドレン水の増減によって移動したりすることがないので、簡単で小型形状の例えば、プレート状や、粒状、棒状その他の形状でも構わない。
【００３０】
以上のように、本実施の形態においては熱交換器１と水受け皿３との間に防菌防黴性樹脂成形体４ｂを挟持させ、防菌防黴性樹脂成形体４ｂを固定することにより、小型で簡単な形状の安価な構成でドレン水にスライムが発生することを長期に亘って安定して抑制することができ、スライムによる故障発生がない空気調和機を提供することができる。
【００３１】
（実施の形態３）
図３は、本発明の第３の実施の形態における空気調和機の断面図を示すものである。
【００３２】
図３において、水受け皿３に貯留したドレン水をドレンポンプ６により機外へ排出する空気調和機であって、ドレンポンプ６の吸込み口の近傍の水受け皿３に防菌防黴性樹脂成形体４ｃを配設したものである。
【００３３】
以上のように構成された空気調和機について、以下その動作、作用を説明する。
【００３４】
熱交換機により凝縮されたドレン水を受ける水受け皿３には、ドレン水が１箇所に溜まり易いように段差や傾斜が設けてあり、その段差や傾斜の最深部にドレンポンプ６の吸込み口が来るように設けてある。水受け皿３に溜まったドレン水は、必ずドレンポンプ６によって空気調和機外部へ排出されるので、ドレンポンプ６の吸込み口近傍の水受け皿３に防菌防黴性樹脂成形体４ｃを配設することにより、ドレン水が溜まっていれば、防菌防黴性樹脂成形体４ｃはほぼ常にドレン水に漬かっていることになり、スライム発生の防止に効果的である。
【００３５】
また、ドレンポンプ６の吸込み口周辺程度の大きさがあれば事足りるため、防菌防黴性樹脂成形体４ｃの大きさは直径数〜十数ｃｍ程度でよい。また、溜まったドレン水はドレンポンプ６で強制排水される為、ドレン水の流れはドレンポンプ６の吸込み口に向かい、従って、防菌防黴性樹脂成形体４ｃもその周辺に常に引き付けられるので、特に固定を考える必要がない。
このように、小型で簡単な形状の安価な構成で防菌防黴性樹脂成形体４ｃでドレン水にスライムが発生することを長期に亘って安定して抑制することができ、スライムによる故障発生がない空気調和機を提供することができる。
【００３６】
（実施の形態４）
図４は、本発明の第４の実施の形態における空気調和機の部品図を示すものである。
【００３７】
図４において、水受け皿に貯留したドレン水を機外へ排出するドレンポンプ６の吸込み口８を防菌防黴性樹脂成形体で成形している。
【００３８】
以上のように構成された空気調和機について、以下その動作、作用を説明する。
【００３９】
実施の形態３と同様に、熱交換機により凝縮されたドレン水を受ける水受け皿３には、ドレン水が１箇所に溜まり易いように傾斜が設けてあり、その傾斜の最深部にドレンポンプ６の吸込み口８が来るように設けてある。水受け皿に溜まったドレン水は、必ずドレンポンプ６によって空気調和機外部へ排出されるので、ドレンポンプ６の吸込み口８を防菌防黴性樹脂成形体で成形することにより、ドレン水が溜まっていれば、防菌防黴性樹脂成形体はほぼ常にドレン水に漬かっていることになり、スライム発生の防止に効果的である。
【００４０】
また、ドレンポンプ６の吸込み口８の一部は、シートを円筒状に加工すればよい程度の簡単な形状なので、加工も容易である。
このように、小型で簡単な形状の安価な構成でドレン水にスライムが発生することを長期に亘って安定して抑制することができ、スライムによる故障発生がない空気調和機を提供することができる。
【００４１】
（実施の形態５）
図５は、本発明の第５の実施の形態における空気調和機の断面図を示すものである。
【００４２】
図５において、ドレンポンプ６の入切を制御するフロートスイッチ９の近傍に防菌防黴性樹脂成形体４ｄを構成している。
【００４３】
以上のように構成された空気調和機について、以下その動作、作用を説明する。
【００４４】
フロートスイッチ９は、液面の上昇・下降をフロートが検知してスイッチ作動を行うもので、熱交換機により凝縮されたドレン水が水受け皿３に溜まると、その液面の上昇・下降によりフロートスイッチ９のフロートも上昇・下降し、予め定めておいた液面高さを超えると、それを検出してドレンポンプ６の運転を開始し、貯留したドレン水を機外へ排出する。
実施の形態３、４と同様に、熱交換機により凝縮されたドレン水を受ける水受け皿３には、ドレン水が１箇所に溜まり易いように傾斜が設けてあり、その傾斜の最深部にドレンポンプ６とその運転を開始するためのフロートスイッチ９が設けてある。水受け皿に溜まったドレン水は、必ずドレンポンプ６によって空気調和機外部へ排出されるので、前記フロートスイッチ９の近傍に防菌防黴性樹脂成形体４ｄを構成することにより、ドレン水が溜まっていれば、防菌防黴性樹脂成形体４ｄはほぼ常にドレン水に漬かっていることになり、スライム発生の防止に効果的である。
このように、小型で簡単な形状の安価な構成でドレン水にスライムが発生することを長期に亘って安定して抑制することができ、スライムによる故障発生がない空気調和機を提供することができる。
【００４５】
（実施の形態６）
図６は、本発明の第６の実施の形態における空気調和機の部品図を示すものである。
【００４６】
図６において、フロートスイッチ９の軸部１１を防菌防黴性樹脂成形体で成形している。
【００４７】
以上のように構成された空気調和機について、以下その動作、作用を説明する。
【００４８】
実施の形態５と同様に、水受け皿３に設けられた傾斜の最深部にドレンポンプ６とその運転入切を制御するためのフロートスイッチ９が設けてあり、水受け皿に溜まったドレン水は、必ずドレンポンプ６によって空気調和機外部へ排出され、またフロートスイッチ９の軸部１１は、円柱状に加工すればよい程度の簡単な形状なので、加工も容易である。
【００４９】
そこで、フロートスイッチ９の軸部１１を防菌防黴性樹脂成形体で成形することにより、ドレン水が溜まっていれば、防菌防黴性樹脂成形体はほぼ常にドレン水に漬かっていることになり、スライム発生の防止に効果的である。
このように、小型で簡単な形状の安価な構成でドレン水にスライムが発生することを長期に亘って安定して抑制することができ、スライムによる故障発生がない空気調和機を提供することができる。
【００５０】
（実施の形態７）
図７は、本発明の第７の実施の形態における空気調和機の断面図を示すものである。
【００５１】
図７において、水抜き用栓１２を水受け皿の下部に設け、前記栓１２の一部に防菌防黴性樹脂成形体４ｅを埋設している。
【００５２】
以上のように構成された空気調和機について、以下その動作、作用を説明する。
【００５３】
熱交換機により凝縮されたドレン水を受ける水受け皿３には、ドレン水が１箇所に溜まり易いように傾斜が設けてあり、その傾斜の最深部の下部に水抜き用穴と水抜き用栓１２が設けてある。水受け皿に溜まったドレン水は、必ず水抜き用穴を通じて空気調和機外部へ排出されるので、水抜き用栓１２の一部に防菌防黴性樹脂成形体４ｅを埋設することにより、ドレン水が溜まっていれば、防菌防黴性樹脂成形体４ｅはほぼ常にドレン水に漬かっていることになり、スライム発生の防止に効果的である。
このように、小型で簡単な形状の安価な構成でドレン水にスライムが発生することを長期に亘って安定して抑制することができ、スライムによる故障発生がない空気調和機を提供することができる。
【００５４】
（実施の形態８）
図８は、本発明の第８の実施の形態における空気調和機の断面図を示すものである。
【００５５】
図８において、水抜き用栓１２に突起１４を設け、防菌防黴性樹脂成形体４ｅを前記栓１２に固定をしている。
【００５６】
以上のように構成された空気調和機について、以下その動作、作用を説明する。
【００５７】
実施の形態７と同様に、ドレン水を受ける水受け皿３に設けられた傾斜の最深部の下部に設けた水抜き用栓１２に突起１４を設け、防菌防黴性樹脂成形体４ｅを前記栓１２に固定をする。この固定により、防菌防黴性樹脂成形体４ｅはドレン水内に浮き上がったり、不注意な取り扱いによって、空気調和気の取り付け時に水抜き用栓１２から簡単に外れたりすることがない。そして、この固定により、ドレン水が溜まっていれば、防菌防黴性樹脂成形体４ｅはほぼ常にドレン水に漬かっていることになり、スライム発生の防止に効果的である。
このように、小型で簡単な形状の安価な構成でドレン水にスライムが発生することを長期に亘って安定して抑制することができ、スライムによる故障発生がない空気調和機を提供することができる。
【００５８】
（実施の形態９）
本発明で用いる防菌防黴性樹脂成形体は、防菌防黴剤とワックスの混合物と樹脂基材を原料として用い、フィラーを添加することなく成形したものである。
【００５９】
特に、実施の形態１〜８において使用する防菌防黴性樹脂成形体４ａ、４ｂ、４ｃ、４ｄ、４ｅ、４ｆは、防菌防黴剤としてジンクピリチオンを使用し、この防菌防黴剤とワックスの混合物と樹脂基材を原材料として用い、防菌防黴剤の分散量が１０〜６０重量％となるように、フィラーを添加することなく成形してなるもので、これによって樹脂成形体の成形性を保ちつつ、防菌防黴剤とワックスの混合物と樹脂基材を原料として用いることで防菌防黴剤を多量に含有できるので、防菌防黴効果の持続性も保持できる。
【産業上の利用可能性】
【００６０】
以上のように、本発明にかかる空気調和機は、小型で簡単な形状の防菌防黴性樹脂成形体を効果的な位置に設けることにより安価でドレン水にスライムが発生することを長期に亘って安定して抑制することができ、スライムによる故障発生がないので住宅および設備などの空調に用いる空気調和機の室内ユニット等にも適用できる。
【図面の簡単な説明】
【００６１】
【図１】本発明の実施の形態１における空気調和機の断面図
【図２】本発明の実施の形態２における空気調和機の断面図
【図３】本発明の実施の形態３における空気調和機の断面図
【図４】本発明の実施の形態４における空気調和機の部品図
【図５】本発明の実施の形態５における空気調和機の断面図
【図６】本発明の実施の形態６における空気調和機の部品図
【図７】本発明の実施の形態７における空気調和機の断面図
【図８】本発明の実施の形態８における空気調和機の断面図
【図９】従来の空気調和機の断面図
【符号の説明】
【００６２】
１  熱交換器
２  ファン
３  水受け皿
４ａ  防菌防黴性樹脂成形体
４ｂ  防菌防黴性樹脂成形体
４ｃ  防菌防黴性樹脂成形体
４ｄ  防菌防黴性樹脂成形体
４ｅ  防菌防黴性樹脂成形体
４ｆ  防菌防黴性樹脂成形体
６  ドレンポンプ
８  ドレンポンプ吸込み口
９  フロートスイッチ
１１  軸部
１２  栓
１４  突起
【図１】
2006057860.tif 000003
【図２】
2006057860.tif 000004
【図３】
2006057860.tif 000005
【図４】
2006057860.tif 000006
【図５】
2006057860.tif 000007
【図６】
2006057860.tif 000008
【図８】
2006057860.tif 000009
【図９】
2006057860.tif 000010
【図７】
2006057860.tif 000011